(57)【要約】      （修正有）【課題】インデックス紙の仕切紙設定を、ユーザの作業性を高めつつしかも誤り無く行うことができる画像形成装置を提供する。【解決手段】画像形成装置において、文書データを入力する入力手段と、前記入力手段により入力された文書データを記憶する記憶手段と、前記記憶手段に記憶された文書データのジョブに基づいて印刷出力を行う印刷出力手段と、複数のジョブを１つのジョブに結合して、前記印刷出力手段に印刷出力させるとともに、前記複数のジョブの間に仕切紙を挿入する結合ジョブ処理手段と、前記結合ジョブ処理手段によるジョブ実行時、仕切紙としてインデックス紙が設定されている場合に、ジョブの先頭に仕切紙として設定されているインデックス紙を挿入する制御手段と、を有することを特徴とする。【選択図】図１０
2019166695.tif 000002
【特許請求の範囲】
【請求項１】
文書データを入力する入力手段と、
前記入力手段により入力された文書データを記憶する記憶手段と、
前記記憶手段に記憶された文書データのジョブに基づいて印刷出力を行う印刷出力手段と、
複数のジョブを１つのジョブに結合して、前記印刷出力手段に印刷出力させるとともに、前記複数のジョブの間に仕切紙を挿入する結合ジョブ処理手段と、
前記結合ジョブ処理手段によるジョブ実行時、仕切紙としてインデックス紙が設定されている場合に、ジョブの先頭に仕切紙として設定されているインデックス紙を挿入する制御手段と、
を有することを特徴とする画像形成装置。
【請求項２】
前記制御手段はさらに、ジョブの先頭に仕切紙として設定されているインデックス紙を挿入するかしないかをユーザが選択可能であることを特徴とする請求項１に記載の画像形成装置。
【請求項３】
前記複数のジョブのそれぞれは独立に、前記入力手段による入力及び前記印刷出力手段による印刷出力に関する設定が可能であることを特徴とする請求項１に記載の画像形成装置。
【請求項４】
前記入力手段は、原稿用紙を読み取って文書データを得ることを特徴とする請求項１に記載の画像形成装置。
【請求項５】
前記入力手段は、文書データを生成するホストコンピュータから送信された文書データを受信することによって文書データを得ることを特徴とする請求項１に記載の画像形成装置。
【発明の詳細な説明】
【技術分野】
【０００１】
本発明は、印刷物へ仕切紙を挿入する機能を有する画像形成装置に関する。
【背景技術】
【０００２】
ユーザが指定した任意のページにインデックス紙を挿入し、本文を分割する（仕切る）処理を行う画像形成装置が提案されている（特許文献１参照）。インデックス紙は、通常の矩形の用紙にインデックス部（耳）を付加して形成される形状を有する。一般的に、インデックス部の位置が異なる複数枚のインデックス紙によって、インデックス紙の１つのセットが構成される。インデックス紙のセットにおいては、インデックス部の位置が異なる複数枚のインデックス紙が、インデックス部の位置が順次ずれるように重ねられている。
【０００３】
インデックス紙が備えるインデックス部が通常の用紙サイズからはみ出ることによって、紙束の章分けなどを行ったりすることができる。インデックス紙が挿入された出力物を手にとったユーザは、インデックス紙のインデックス部の位置に基づいて任意のページを参照することが可能である。
【０００４】
しかしながら、特許文献１に記載の技術においては、インデックス紙の挿入は、ユーザが指定したページに対して挿入されるだけであり、挿入ページの指定をユーザが正確に行わなければならない。
【０００５】
一方で、挿入ページの位置を画像形成装置が自動的に判別する仕切紙機能をもつ画像形成装置が提案されている。例えば、異なる設定で読み込んだ原稿束を１つにまとめてコピーするジョブ結合という機能や、ボックスと呼ばれるデータ（文書）格納領域を有し、ボックスに格納した複数のデータ（文書）を１つにまとめてプリントする機能を有する画像形成装置が存在する。
【０００６】
どちらの機能も複数のドキュメントを１つにまとめてプリントする機能である。前述のジョブ結合の機能では原稿束間を仕切る用途として、原稿束間へ自動的に仕切紙を挿入することが可能である。
【０００７】
１束目（１から３ページ）、仕切紙、２束目（４から５ページ）といった成果物を得るための例で説明する。この場合、挿入紙の機能ではユーザが４ページの前に挿入紙を挿入する指定が必要となる。一方、仕切紙機能では、画像形成装置が原稿束間を特定するため、ユーザが挿入ページを指定することなく、原稿束間（本例では４ページの前）に仕切紙を挿入することが可能である。
【０００８】
また、ボックスに格納した複数のデータを１つにまとめてプリントする場合も同様に、複数のボックスデータ間を仕切る用途として、仕切紙を挿入することが可能である。
【０００９】
このとき仕切紙を設定すると、画像形成装置がボックスのデータの１つ１つを特定し、ユーザが挿入ページを指定することなく、ボックスのデータ間に仕切紙を挿入することが可能である。
【先行技術文献】
【特許文献】
【００１０】
【特許文献１】特開２００５−１８２７５７号公報
【発明の概要】
【発明が解決しようとする課題】
【００１１】
前述のインデックス紙を仕切紙として利用することで、挿入ページの設定を容易にすることができるが、仕切紙は束間を仕切る用途のため、１束目の先頭ページに仕切紙は挿入されず、インデックス紙を先頭にする成果物を得ることができない問題が残る。
【００１２】
本発明は上記従来技術の有する問題点に鑑みてなされたものであり、本発明の目的は、インデックス紙の仕切紙設定を、ユーザの作業性を高めつつしかも誤り無く行うことが可能な画像形成装置を提供することにある。
【課題を解決するための手段】
【００１３】
上記目的を達成するため、本発明の画像形成装置は、文書データを入力する手段と、前記入力手段により入力された文書データを記憶する記憶手段と、前記記憶手段に記憶された文書データのジョブに基づいて印刷出力を行う印刷出力手段と、複数のジョブを１つのジョブに結合して、前記印刷出力手段に印刷出力させるとともに、前記複数のジョブの間に仕切紙を挿入する結合ジョブ処理手段と、前記結合ジョブ処理手段によるジョブ実行時、仕切紙としてインデックス紙が設定されている場合に、ジョブの先頭に仕切紙として設定されているインデックス紙を挿入する制御手段と、を有することを特徴とする。
【発明の効果】
【００１４】
本発明によれば、インデックス紙の仕切紙設定を、ユーザの作業性を高めつつしかも誤り無く行うことができる。
【図面の簡単な説明】
【００１５】
【図１】ＭＦＰのハードウェア構成の一例を示す図。
【図２】ジョブ結合の機能概要を示す図。
【図３】ジョブ結合を実行する際の操作画面遷移例を示す図。
【図４】コピー初期画面の一例を示す図。
【図５】ジョブ結合の全体設定画面の一例を示す図。
【図６】ジョブ結合の原稿束読み込み設定画面の一例を示す図。
【図７】ジョブ結合の原稿束読み込み実行画面の一例を示す図。
【図８】ジョブ結合の束の確認／結合画面の一例を示す図。
【図９】仕切紙の設定画面の一例を示す図。
【図１０】第１の実施形態に係るジョブ結合の処理を示すフローチャート。
【図１１】ジョブ結合の仕切紙でインデックス紙を設定した場合の出力例を示す図。
【図１２】仕切紙の設定画面の一例を示す図。
【発明を実施するための形態】
【００１６】
以下、本発明を実施するための形態について図面を用いて説明する。
【００１７】
＜第一の実施形態＞
図１は、ＭＦＰ（Ｍｕｌｔｉ  Ｆｕｎｃｔｉｏｎ  Ｐｅｒｉｐｈｅｒａｌ）１０１のハードウェア構成の一例を示す図である。ＭＦＰ１０１は、画像形成装置の一例である。
【００１８】
システムバス１１０に対してＣＰＵ１１１、ＲＡＭ１１２、ＲＯＭ１１３、入力制御Ｉ／Ｆ１１４、表示制御Ｉ／Ｆ１１５、記憶装置Ｉ／Ｆ１１６、通信Ｉ／Ｆコントローラ１１７が接続されている。また、システムバス１１０に対しては、スキャナ１２１やプリンタ１２２も接続されている。システムバス１１０に接続される各部は、システムバス１１０を介して互いにデータのやりとりを行うことができるように構成されている。
【００１９】
ＣＰＵ（Ｃｅｎｔｒａｌ  Ｐｒｏｃｅｓｓｉｎｇ  Ｕｎｉｔ）１１１は、各装置の制御やデータの計算・加工を行う装置である。ＲＡＭ（Ｒａｎｄｏｍ  Ａｃｃｅｓｓ  Ｍｅｍｏｒｙ）１１２は、揮発性のメモリであり、ＣＰＵ１１１の主メモリ、ワークエリア等の一時記憶領域として用いられる。ＲＯＭ（Ｒｅａｄ  Ｏｎｌｙ  Ｍｅｍｏｒｙ）１１３は、不揮発性のメモリであり、画像データやその他のデータ、ＣＰＵ１１１が動作するための各種プログラム等が、それぞれ所定の領域に格納されている。
【００２０】
ＣＰＵ１１１は、例えばＲＯＭ１１３に格納されるプログラムに従い、ＲＡＭ１１２をワークメモリとして用いて、ＭＦＰ１０１の各部を制御する。尚、ＣＰＵ１１１が動作するためのプログラムは、ＲＯＭ１１３に格納されるのに限られず、記憶装置１２０に記憶されていてもよい。
【００２１】
入力制御Ｉ／Ｆ１１４は、ユーザ操作を受け付け、操作に応じた制御信号を生成し、ＣＰＵ１１１に供給する。例えば、入力制御Ｉ／Ｆ１１４は、ユーザ操作を受け付ける入力デバイスとして、不図示であるキーボードといった文字情報入力デバイスや数値などを直接入力するためのハードキー、あるいはタッチパネル１１８といったポインティングデバイス等と接続される。
【００２２】
なお、タッチパネル１１８は、例えば平面的に構成された入力部に対して接触された位置に応じた座標情報が出力されるようにされている入力デバイスである。以下、本実施例においては、タッチパネルでの操作で説明しているが、それに限定されないことは言うまでもない。ＣＰＵ１１１は、入力デバイスに対してなされたユーザ操作に応じて入力制御Ｉ／Ｆ１１４で生成され供給される制御信号に基づき、プログラムに従いＭＦＰ１０１の各部を制御する。これにより、ユーザ操作に応じた動作をＭＦＰ１０１に行わせることができる。
【００２３】
表示制御Ｉ／Ｆ１１５は、ディスプレイ１１９に対して画像を表示させるための表示信号を出力する。例えば、ＣＰＵ１１１は、プログラムに従い、生成した表示制御信号を表示制御Ｉ／Ｆ１１５に対して供給する。表示制御Ｉ／Ｆ１１５は、この表示制御信号に基づき表示信号を生成してディスプレイ１１９に対して出力する。例えば、表示制御Ｉ／Ｆ１１５は、ＣＰＵ１１１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１１９に表示させる。また、タッチパネル１１８は、ディスプレイ１１９と一体的に構成されていても良い。
【００２４】
例えば、タッチパネル１１８は光の透過率がディスプレイ１１９の表示を妨げないように構成され、ディスプレイ１１９の表示面の上層に取り付けられる。そして、タッチパネル１１８における入力座標と、ディスプレイ１１９上の表示座標が対応付けられる。これにより、あたかもユーザがディスプレイ１１９上に表示された画面を直接的に操作可能であるかのようなＧＵＩを構成することができる。
【００２５】
記憶装置Ｉ／Ｆ１１６には、例えばＨＤＤ（Ｈａｒｄ  Ｄｉｓｋ  Ｄｒｉｖｅ）やフラッシュメモリなどの記憶装置１２０が接続されている。ＣＰＵ１１１の制御に基づき、記憶装置１２０からのデータの読み出しや、記憶装置１２０に対するデータの書き込みが行われる。記憶装置１２０をＲＡＭ１１２やＲＯＭ１１３の代わりに使用しても構わない。
【００２６】
通信Ｉ／Ｆコントローラ１１７は、ＣＰＵ１１１の制御に基づき、例えばＬＡＮやインターネット、有線、無線等の各種ネットワークに対する通信を行う。ネットワーク１０２には、ＰＣや他のＭＦＰ、プリンタ、サーバ等、様々な装置がＭＦＰ１０１と通信可能に接続される。
【００２７】
スキャナ１２１は、ＣＰＵ１１１の制御に基づき、原稿を読み取り、画像データを生成する。例えば、ＣＰＵ１１１は、入力制御Ｉ／Ｆ１１４を介して入力されたユーザの指示により、スキャナ１２１に対してスキャン処理を実施させる。スキャナ１２１は、不図示の原稿台やＡＤＦ（Ａｕｔｏ  Ｄｏｃｕｍｅｎｔ  Ｆｅｅｄｅｒ）に置かれた原稿を読み取り、デジタルデータ化し、画像データを生成する。そして、スキャナ１２１は、生成した画像データを記憶装置Ｉ／Ｆ１１６を介して記憶装置１２０に格納する。
【００２８】
プリンタ１２２は、ＣＰＵ１１１の制御に基づき、記憶装置１２０に保存された画像データを印刷処理する。例えば、ＣＰＵ１１１は、入力制御Ｉ／Ｆ１１４を介して入力されたユーザの指示や、通信Ｉ／Ｆコントローラ１１７を介して外部装置から入力されたコマンドの指示によりプリンタ１２２に対して印刷処理を実施させる。不図示の１つ以上の用紙供給部から用紙を供給し、その用紙に印刷する。
【００２９】
用紙供給部は、Ａ４、Ａ５など特定の大きさの用紙をまとめて大量に供給できるカセット供給と、人が手で用紙を設置する手差し供給がある。プリンタ１２２は、記憶装置１２０から画像データを読出し、印刷可能なデータ形式に変換し、紙原稿に印字する。
【００３０】
ＭＦＰ１０１はジョブ結合機能を具備している。このジョブ結合機能について以下に説明する。図２は、ジョブ結合の機能概要を示す図である。図２では、複数の原稿束２０１〜２０４がそれぞれ異なる設定に応じて、出力物２１１〜２１４を生成するジョブであることが示されている。以下、具体的に説明すると、Ａ４サイズのカラー原稿２０１から、等倍のカラーコピーした出力物２１１が生成される。また、Ａ４のカラー原稿２０２を、片面スキャンして両面印字するカラーコピージョブとして、出力物２１２が生成される。
【００３１】
Ａ３のカラー原稿２０３から、見開きの左右ページを別べつのＡ４にコピーした出力物２１３が生成される。さらにＡ４のモノクロ原稿２０４を４ｉｎ１にコピーした出力物２１４である。なお、本明細書では、Ｎページ分の内容を１ページの紙面に縮小レイアウトする機能を「Ｎｉｎ１」という。したがって、「４ｉｎ１」は４ページ分の内容を１ページの紙面にレイアウトする機能をさす。
【００３２】
このようにジョブ結合により異なる設定で読み込んだ複数の原稿を１つのジョブ束にまとめて出力でき、１つにまとめたジョブ束の間に仕切紙を挿入することができる。
【００３３】
仕切紙が設定されている生成物の例として本図では、出力物２１１と出力物２１２の間に仕切紙２２１が挿入され、出力物２１２と出力物２１３の間に仕切紙２２２が挿入され出力物２１３と出力物２１４の間に仕切紙２２３が挿入されていることを表現している。
【００３４】
図３は、本実施形態に係る画像形成装置において、複数のジョブを１つのジョブに結合するジョブ結合を実行する際の操作画面遷移例を示す図である。ジョブ結合及びその際の操作画面遷移の制御はＣＰＵ１１１によって実行される。図３では、ジョブ結合を実行して仕切紙を設定する場合の具体例を示す。図３に記載されている各操作画面の具体例は、図４〜図９に示す。
【００３５】
なお、本実施形態では、タッチパネル１１８を介してユーザから受け付ける各種ユーザ操作に応答して、そのユーザ要求に対応した操作画面をディスプレイ１１９に選択的に表示させるように、ＣＰＵ１１１が制御する構成を例示する。ただし、印刷動作など画像形成装置における実際のジョブ処理に係る制御についてはＣＰＵ１１１が行い、表示に係る制御についてはＵＩ制御部といった別のユニットが行う構成でも良い。
【００３６】
図４は、図３で示されるジョブ結合実行時の操作画面遷移におけるコピー初期画面の一例を示す図である。
【００３７】
初期画面４００は、コピー画面が表示された状態を示している。初期画面４００は、各種のコピー設定ボタン群４１０、割り込みコピーボタン４２０、初期画面に表示していないコピー設定ボタンを表示するためのその他の機能ボタン４３０から構成される。ジョブ結合の実行を行うためにはコピー設定ボタン群４１０のジョブ結合ボタン４１１を押下する。なお、本例ではジョブ結合ボタン４１１をコピー設定ボタン群４１０に表示していているが、その他の機能ボタン４３０を押下した後に表示する機能としても構わない。
【００３８】
その他、本発明と直接関係のないボタンについては説明を省略する。
【００３９】
図５は、図４で示されるジョブ結合ボタン押下時に画面遷移する、ジョブ結合全体設定画面の一例を示す図である。ジョブ結合全体設定画面５００は、各種の設定ボタン５１０〜５１７、設定取消ボタン５２０、ＯＫボタン５３０から構成される。
【００４０】
ユーザは、設定ボタン５１０〜５１７を選択することにより、ジョブ全体に関わる設定を行う。さらに、ＯＫボタン５３０を押下することにより、設定ボタン５１０〜５１７で設定された内容で、結合ジョブの実行を継続する。設定取消ボタン５２０は、ジョブ結合モードの設定を取り消すためのボタンである。
【００４１】
仕上げボタン５１０は、ソート／シフトソート／回転ソートを含む出力順序設定と、パ  ンチ／ステイプル／折りを含むフィニッシング設定を行うボタンである。本画面例では仕上げが設定されているものとし、ボタン表記が設定なしボタンと区別できる表示になっている。仕切紙ボタン５１１は、原稿束とその次の原稿束を仕切るための仕切紙を設定するボタンであり、仕切紙の給紙先と用紙タイプを設定することができる。本画面例では仕切紙が設定されているものとし、ボタン表記が設定なしボタンと区別できる表示になっている。
【００４２】
仕切紙ボタン５１１を押下すると図９の仕切紙設定画面９００へ画面遷移する。仕切紙設定画面９００で給紙先選択ボタン群９０１から所望の給紙先を設定することで、その給紙先に設定されている用紙サイズ、用紙タイプを仕切紙として設定できる。本画面では、インデックス紙が設置されている給紙先（カセット４）が選択されている状態を表現している。なお本画面例では仕切紙の給紙先を選択する構成としたが、仕切紙として利用する用紙サイズ、用紙タイプを選択する構成としても構わない。
【００４３】
仕切紙設定画面９００でＯＫボタン９０２を押下すると仕切紙の設定を確定させて前述のジョブ結合全体設定画面５００に画面遷移する。一方、設定取消ボタン９０３を押下すると仕切紙の設定を取り消してジョブ結合全体設定画面５００に画面遷移する。ジョブ結合全体設定画面５００に記載の本提案と直接関係のないその他の機能の説明は省略する。
【００４４】
図６は、図３で示されるジョブ結合実行時の操作画面遷移における、原稿束読み込み設定画面の一例を示す図である。
【００４５】
原稿束読み込み設定画面６００は、カラー選択ボタン６０１、設定確認ボタン６０２、等倍ボタン６０３、倍率ボタン６０４、用紙選択ボタン６０５、各種の読み込み設定ボタン６１０、その他の機能ボタン６１１から構成される。
【００４６】
カラー選択ボタン６０１は読み込み時のカラーモードを設定するためのボタンである。選択できるカラーモードには、「自動選択」「フルカラー」「白黒」が含まれる。設定確認ボタン６０２は、現在の設定内容を確認するためのボタンである。
【００４７】
等倍ボタン６０３は、コピー倍率を等倍（１００％）に設定するためのボタンである。
【００４８】
倍率ボタン６０４は、任意のコピー倍率を設定するためのボタンである。用紙選択ボタン６０５は、用紙を選択するためのボタンであり、本ボタンが押下されると、給紙カセット情報が表示され、出力用紙を給紙するカセットを選択することができる。また、スキャナで読み込んだ原稿のサイズから自動的に出力用紙を判定する自動用紙選択モードも選択可能である。
【００４９】
原稿束読み込み設定画面６００においては、全体設定と矛盾の生じるような原稿を読み込まないように、各種読み込み設定ボタン群６１０で設定できる内容に制限をかける。
【００５０】
原稿束読み込み設定画面６００において各種設定が行われ、スタートキー（不図示）が押下されると、原稿束読み込みを実行する。
【００５１】
図７は、図３で示されるジョブ結合実行時の操作画面遷移における、原稿束読み込み実行画面の一例を示す図である。
【００５２】
原稿束読み込み実行画面７００は、読み取り設定表示部７０１、読み取り設定変更ボタン７０２を有する。読み取り設定変更ボタン７０２は、読み込み濃度調整、原稿種類選択、面原稿設定といった読み込み設定を変更する場合に利用し、押下すると各設定を変更するための画面に遷移する。
【００５３】
また、束取消ボタン７１０、次の束の読み込み実行ボタン７１１、束の確認／結合ボタン７１２も設けられている。
【００５４】
束取消ボタン７１０は、読み込んだ原稿をジョブ結合の束として登録しないよう設定するボタンである。次の束の読み込み実行ボタン７１１は、読み込んだ原稿はジョブ結合の束として登録し、次の原稿束の読み込み設定を行うためのボタンである。束の確認／結合ボタン７１３は、読み込んだ原稿をジョブ結合の束として登録し、束の確認／結合画面８００に画面遷移するためのボタンである。
【００５５】
図８は、図３で示されるジョブ結合実行時の操作画面遷移における、束の確認／結合画面の一例を示す図である。束の確認／結合画面８００は、ジョブ結合の全体設定確認ボタン８０１、束リスト表示部８０２、選択解除ボタン８０３、詳細情報表示ボタン８０４、プリント部数設定表示部８０５を有する。更に、試しプリント実行ボタン８０６、ボックスファイル追加ボタン８０７、表紙設定ボタン８０８、挿入紙設定ボタン８０９、読込原稿を追加ボタン８１１、その他の操作ボタン８１０、ジョブ結合中止ボタン８２０、プリント開始ボタン８２１を有する。
【００５６】
ジョブ結合の全体設定確認ボタン８０１は、全体設定を確認するためのボタンである  。ジョブ結合の全体設定確認ボタン８０１が押下されると、ジョブ結合の全体設定が表示される。（図示省略）
束リスト表示部８０２は、ジョブ結合する束（文書）のリストを表示するものであり、種類、文書名、用紙サイズ、ページ、日付／時刻の項目が表示される。また、リスト上の一番左に表示される（白抜きの）番号は、結合する順序を表している。
【００５７】
選択解除ボタン８０３は、結合対象として選択された文書全てを選択解除するためのボタンである。
【００５８】
詳細情報表示ボタン８０４は、束リスト表示部８０２に表示されている各文書を選択した後、詳細情報を表示するためのボタンである。詳細情報表示ボタン８０４が押下されると、詳細表示画面（図示省略）に画面遷移する。
【００５９】
プリント部数設定表示部８０５は、設定されているプリント部数を表示する。プリン
ト部数は、タッチパネル上の数字キーにて入力することができるようになっている。
【００６０】
試しプリント実行ボタン８０５は、試しプリントを行うためのボタンである。試しプリント実行ボタン８０５が押下されると、１部のみ印刷する試しプリントを実行する。
【００６１】
その他の操作ボタン８１０は、束リスト表示部８０２に表示されている各文書を編集するためのボタンである。その他の操作ボタン８１０が押下されると、引き続き画像表示ボタン、ページ消去ボタン、束の消去ボタンが表示される（それぞれ図示省略）。
【００６２】
ボックスファイルを追加ボタン８０７は、ボックス機能によって格納された文書を結合対象の文書として追加するためのボタンである。ボックスファイルを追加ボタン８０７が押下されると、ボックス番号指定画面、ボックス文書指定画面（それぞれ図示省略）へ画面遷移し、文書が追加される。追加された文書は、束リスト表示部８０２上に表示される。
【００６３】
読込原稿を追加ボタン８１１は、結合する文書をスキャナから読み込んで追加するためのボタンである。読込原稿を追加ボタン８１１が押下されると、原稿束読み込み設定画面６００に画面遷移し、スキャンが実行されると、スキャン文書が追加される。追加された文書は、束リスト表示部８０２上に表示される。
【００６４】
ジョブ結合中止ボタン８２０は、ジョブ結合の実行を中止するためのボタンである。ジョブ結合が中止されると、束リスト表示部８０２上に表示されている文書はすべて消去されジョブ結合が中止される。プリント開始ボタン８２１は、束リスト表示部８０２上で選択されている文書のジ
ョブ結合を実行するためのボタンである。
【００６５】
図１０のフローチャートを用いて、第１の実施形態について説明する。なお以下の各ステップはＭＦＰ１０１のＣＰＵ１１１が指示することにより実行される。
【００６６】
ステップＳ１００１において、ＭＦＰ１０１のタッチパネル１１８にコピー機能の初期画面であるユーザインタフェース画面（ＵＩ画面：図４）を表示し、ジョブ結合のジョブの実行要求を受け付ける。
【００６７】
ステップＳ１００２において、ＵＩ画面（図４）にある「ジョブ結合」ボタンが押下されたか否かを判断する。押下されたと判断した場合はＳ１００３へ進む。
【００６８】
ステップＳ１００３において、ＵＩ画面（図５）にある「仕切紙」ボタンが押下されたか否かを判断する。押下されたと判断した場合はＳ１００４へ進む。押下されたと判断しなかった場合はＳ１００６へ進む。
【００６９】
ステップＳ１００４において、仕切紙にインデックス紙が設定されたか否かを判断する。設定されたと判断した場合はＳ１００５へ進む。設定されたと判断しなかった場合はＳ１０２１へ進む。
【００７０】
ステップＳ１００５において、インデックス紙仕切紙モードをＯＮに設定する。この設定を一時記憶装置であるＲＡＭ１１２に記憶し、Ｓ１０２１へ進む。
【００７１】
ステップＳ１０２１において、紙仕切紙モードをＯＮに設定する。この設定を一時記憶装置であるＲＡＭ１１２に記憶し、Ｓ１００６へ進む。
【００７２】
ステップＳ１００６において、ジョブ全体にかかわる設定が完了したか否かを判断する。完了したと判断した場合はＳ１００７へ進む。
【００７３】
ステップＳ１００７において、原稿束読み込み設定をタッチパネル１１８に表示（図６）し、原稿束読み込み設定の実行要求を受け付ける。
【００７４】
ステップＳ１００８において、原稿束読み込み実行の要求であるスタートキーが押下されたか否かを判断する。スタートキーが押下されたと判断した場合はＳ１００９へ進む。
【００７５】
ステップＳ１００９において、Ｓ１００７の原稿束読み込み設定に基づきスキャナ１２１により原稿を読み込み記憶装置１２０に読み込んだデータを記憶する。読み込みが完了するとステップＳ１０１０へ進む。
【００７６】
ステップＳ１０１０において、原稿束読み込み実行画面（図７）を表示し、実行要求を受け付ける。
【００７７】
ステップＳ１０１１において、次の原稿束の読み込み設定が要求されたか否か判断する。要求されたと判断した場合はＳ１００７へ戻り、次の束の読み込み設定として進む。次のジョブ束の読み込み設定が要求されたと判断しなかった場合はＳ１０１２へ進む。
【００７８】
ステップＳ１０１２において、読み込んだ束の確認要求が指示されたか否かを判断する。要求されたと判断した場合は、ステップＳ１０１３へ進み、要求されなかった場合はＳ１０１０へ戻る。
【００７９】
ステップＳ１０１３において、束の確認／結合画面（図８）を表示し、実行要求を受け付ける。
【００８０】
ステップＳ１０１４において、プリント開始が指示されたと判断した場合はステップＳ１０１５へすすむ。それ以外はステップＳ１０１３に戻る
ステップＳ１０１５において、インデックス紙仕切紙モードがＯＮかどうか判断する。ＯＮと判断した場合は、Ｓ１０１６へ進む。ＯＮと判断しなかった場合はＳ１０１７へ進む。
【００８１】
ステップＳ１０１６では、先頭ページにインデックス紙を挿入するために、ステップＳ１００４で設定された仕切紙の給紙先からインデックス紙を給紙し、インデックス紙には印字せずＭＦＰ１０１の排出先に出力する。
【００８２】
ステップＳ１０１７では、ステップＳ１００９で記憶した原稿束のデータを読み出し、プリント１２２へ出力する。
【００８３】
ステップＳ１０１８では、ステップＳ１００９で記憶した原稿束のデータをすべて読み出したか否かを判断する、すべての原稿束のデータを読み出したと判断した場合は処理を終了させ、すべての原稿束のデータを読み出したと判断しなかった場合はＳ１０１９進む。
【００８４】
ステップＳ１０１９では、仕切紙モードがＯＮかどうか判断する。仕切紙モードがＯＮと判断した場合はＳ１０２０へ進む。ＯＮと判断しなかった場合はＳ１０１７へ戻る。
【００８５】
ステップＳ１０２０では、ステップＳ１００４で設定された仕切紙の給紙先から給紙し、仕切紙には印字せずＭＦＰ１０１の排出先に出力しＳ１０１７戻り処理を継続する。
【００８６】
図１１は、本実施形態に係る画像形成装置においてジョブ結合の仕切紙でインデックス紙を設定した場合の出力例を示す図である。図１１では、先頭に仕切紙（インデックス紙）１１２０が挿入され、出力物１１１１と出力物１１１２の間に仕切紙（インデックス紙）１１２１が挿入され、出力物１１１２と出力物１１１３の間に仕切紙（インデックス紙）１１２２が挿入され、出力物１１１３と出力物１１１４の間に仕切紙（インデックス紙）１１２３が挿入されていることを表現している。
【００８７】
ここまで本実施形態に係る画像形成装置において、仕切紙としてインデックス紙を設定した場合は先頭にインデックス紙を挿入する構成を説明してきた。一方で、仕切紙としてインデックス紙を設定した場合であっても、先頭にインデックス紙を挿入するか否かをユーザが選択する構成であっても構わない。
【００８８】
例えば、図１２は図９の仕切紙設定画面において、インデックス紙を設定後、ＯＫキー９０２が押下された後に表示する画面である。本画面において「はい」１２０１を選択すると、図１０で示したステップＳ１０１５における、インデックス紙仕切紙モードがＯＮとして動作し、先頭にインデックス紙が挿入される。一方で「いいえ」１２０２を選択するとインデックス紙仕切紙モードがＯＦＦとなるため、先頭にインデックス紙は挿入されない動作となる。
【００８９】
また、前述の先頭にインデックス紙を挿入するか否かをユーザが選択させる画面（図１０）は、仕切紙として設定されているインデックス紙のインデックス部（耳）の数が、原稿束数より少ない場合にのみ表示させるとしても構わない。これはインデックス部の位置が順次ずれるように重ねられている１セットが、原稿束間の仕切として利用する場合は適切数の１セットだったとしても、自動的に先頭にインデックス紙が挿入されることでユーザが意図しない成果物が生成されることを防ぐためである。
【００９０】
以上、本発明の好適な実施形態を説明した。上述の実施形態では、ジョブ結合において仕切紙としてインデックス紙を設定する場合の具体例を説明した。しかし本発明はこれに限定されるものではなく、別の仕切紙についても適用可能である。例えば、複数のボックスデータを選択し、結合してプリントを実行した場合のボックスデータ毎の出力物を仕切るための仕切紙処理にも適用可能である。
【００９１】
以上のような構成を具備することで、仕切紙におけるインデックス紙の設定を、ユーザの作業性を高めつつしかも誤り無く行うことが可能な画像形成装置を提供可能となる。
【００９２】
なお、本発明は、前述した実施形態の各機能を実現するプログラムを、システム又は装置に直接又は遠隔から供給し、そのシステム又は装置に含まれるコンピュータがその供給されたプログラムコードを読み出して実行することによっても達成される。したがって、本発明の機能・処理をコンピュータで実現するために、そのコンピュータにインストールされるプログラムコード自体も本発明を実現するものである。つまり、上記機能・処理を実現するためのコンピュータプログラム自体も本発明の一つである。
【符号の説明】
【００９３】
１０１  ＭＦＰ
１１０  システムバス
１１１  ＣＰＵ
１１２  ＲＡＭ
１１３  ＲＯＭ
１１４  入力制御Ｉ／Ｆ
１１５  表示制御Ｉ／Ｆ
１１６  記憶装置Ｉ／Ｆ
１１７  通信Ｉ／Ｆコントローラ
１１８  タッチパネル
１１９  ディスプレイ
１２０  記憶装置
１２１  スキャナ
１２２  プリンタ
【図１】
2019166695.tif 000003
【図２】
2019166695.tif 000004
【図３】
2019166695.tif 000005
【図４】
2019166695.tif 000006
【図５】
2019166695.tif 000007
【図６】
2019166695.tif 000008
【図７】
2019166695.tif 000009
【図８】
2019166695.tif 000010
【図９】
2019166695.tif 000011
【図１０】
2019166695.tif 000012
【図１１】
2019166695.tif 000013
【図１２】
2019166695.tif 000014